(57)【特許請求の範囲】
【請求項１】
ケース本体と、このケース本体に対し開き位置と閉じ位置とに開閉切換可能に装着された開閉蓋と、前記開閉蓋と協働してカップ類を挿脱可能に保持するホルダ部材とを備えたカップホルダ装置であって、
前記ホルダ部材は、前記開閉蓋が開き位置に配置された状態において、水平状をなすホルダ位置と、垂直状をなす折畳位置とに配置切換可能に前記開閉蓋に装着され、
前記ホルダ部材が前記折畳位置に配置切換されたときには、前記ケース本体と前記開閉蓋との間の収納室を第１、第２の分割室に区画する区画壁として機能し、
前記ホルダ部材は、前記開閉蓋が前記開き位置に配置された状態において、前記開閉蓋の底部をなす底壁部に一端が回動可能に装着されたホルダアームの他端部に回動可能に装着され、
前記開閉蓋の両側壁部と前記ホルダ部材との間には、前記ホルダ部材を前記ホルダ位置と前記折畳位置とに案内する案内機構が配設されていることを特徴とするカップホルダ装置。
【請求項２】
請求項１に記載のカップホルダ装置であって、
案内機構は、ホルダ部材をホルダ位置に係止する第１ストッパ部と、前記ホルダ部材を折畳位置に係止する第２ストッパ部とを有していることを特徴とするカップホルダ装置。
【請求項３】
請求項１又は２に記載のカップホルダ装置であって、
開閉蓋が開き位置に配置された状態において、ホルダ位置に配置されたホルダ部材が案内機構に案内されて折畳位置に配置切換されたときには、開閉蓋側に区画された第１の分割室の奥行き寸法よりも、ケース本体側に区画された第２の分割室の奥行き寸法が大きく設定され、
前記第１の分割室には小物類が収納可能で、前記第２の分割室には容積が大きい物品が収納可能に構成されていることを特徴とするカップホルダ装置。
【発明の詳細な説明】
【技術分野】
【０００１】
この発明はカップホルダ装置に関する。
【背景技術】
【０００２】
従来、カップホルダ装置においては、例えば、特許文献１に開示されている。
特許文献１に開示されたカップホルダ装置においては、コンソールトレイの収納部に容器保持部材を着脱可能に設けている。
また、容器保持部材を、容器を保持する容器保持状態と格納状態とで保持位置を変えるため、容器保持部材に係合部を設け、コンソールトレイの後側トレイに前記係合部に係合可能な容器保持用被係合部と格納用被係合部を設け、前記係合部は、弾性を有する長尺状の板状部材からなる複数の片持ち梁部を互いに直交配置させている。
【先行技術文献】
【特許文献】
【０００３】
【特許文献１】特開２０１０−１３２０８１号公報
【発明の概要】
【発明が解決しようとする課題】
【０００４】
ところで、特許文献１に開示されたカップホルダ装置においては、容器保持部材を使用する場合には、容器保持部材の容器保持用係合凹部をコンソールトレイの容器保持用係合凸部に係合させると共に、容器保持部材のロック用突起をコンソールトレイの係止穴に係合させる。
また、容器保持部材をコンソールトレイに格納する場合には、コンソールトレイに対し容器保持状態にある容器保持部材のロック用突起とコンソールトレイの係止穴との係合を外して容器保持部材を取り外す。その後、コンソールトレイの格納部に対し容器保持部材を縦方向に配置し、コンソールトレイの格納用溝部に嵌合した下方にスライド移動させることによって、格納用係合凹部をコンソールトレイの格納用係合凸部に係合させると共に、容器保持部材のロック用突起をコンソールトレイの支持穴に係合させることで、容器保持部材を格納状態とする。
したがって、特許文献１に開示されたカップホルダ装置においては、容器保持部材を使用状態と格納状態とに配置切換する操作に多くの手間が必要となり、使い勝手が悪い。
【０００５】
この発明の目的は、前記問題点に鑑み、使い勝手に優れるカップホルダ装置を提供することである。
【課題を解決するための手段】
【０００６】
前記課題を解決するために、この発明の請求項１に係るカップホルダ装置は、ケース本体と、このケース本体に対し開き位置と閉じ位置とに開閉切換可能に装着された開閉蓋と、前記開閉蓋と協働してカップ類を挿脱可能に保持するホルダ部材とを備えたカップホルダ装置であって、
前記ホルダ部材は、前記開閉蓋が開き位置に配置された状態において、水平状をなすホルダ位置と、垂直状をなす折畳位置とに配置切換可能に前記開閉蓋に装着され、
前記ホルダ部材が前記折畳位置に配置切換されたときには、前記ケース本体と前記開閉蓋との間の収納室を第１、第２の分割室に区画する区画壁として機能し、
前記ホルダ部材は、前記開閉蓋が前記開き位置に配置された状態において、前記開閉蓋の底部をなす底壁部に一端が回動可能に装着されたホルダアームの他端部に回動可能に装着され、
前記開閉蓋の両側壁部と前記ホルダ部材との間には、前記ホルダ部材を前記ホルダ位置と前記折畳位置とに案内する案内機構が配設されていることを特徴とする。
【０００７】
前記構成によると、開閉蓋が開き位置に配置された状態において、ホルダ部材が水平状をなすホルダ位置に配置されることで、カップ類が保持される。
また、ホルダ部材が垂直状をなす折畳位置に配置切換されることで、ケース本体と開閉蓋との間の収納室が、折畳位置に配置されたホルダ部材を区画壁して第１、第２の分割室に区画される。これによって、第１、第２の分割室に異なる物品を区別して収納することができる。
前記したように、ホルダ部材をホルダ位置と折畳位置とに配置切換するという、極めて簡単な操作によって、カップ類を保持したり、異なる物品を区別して収納することができ、使い勝手に優れる。
また、ホルダ部材は、開閉蓋の底部をなす底壁部に一端が回動可能に装着されたホルダアームの他端部に回動可能に装着され、案内機構によってホルダ位置と折畳位置とに案内される。このため、ホルダ部材をホルダ位置と折畳位置とに容易に配置切換することができる。
【００１０】
請求項２に係るカップホルダ装置は、請求項１に記載のカップホルダ装置であって、
案内機構は、ホルダ部材をホルダ位置に係止する第１ストッパ部と、前記ホルダ部材を折畳位置に係止する第２ストッパ部とを有していることを特徴とする。
【００１１】
前記構成によると、案内機構の第１ストッパ部と第２ストッパ部とによって、ホルダ部材をホルダ位置と折畳位置とに確実に係止することができる。
【００１２】
請求項３に係るカップホルダ装置は、請求項１又は２に記載のカップホルダ装置であって、
開閉蓋が開き位置に配置された状態において、ホルダ位置に配置されたホルダ部材が案内機構に案内されて折畳位置に配置切換されたときには、開閉蓋側に区画された第１の分割室の奥行き寸法よりも、ケース本体側に区画された第２の分割室の奥行き寸法が大きく設定され、
前記第１の分割室には小物類が収納可能で、前記第２の分割室には容積が大きい物品が収納可能に構成されていることを特徴とする。
【００１３】
前記構成によると、第１の分割室には小物類を収納することができ、第２の分割室には容積が大きい物品を収納することができる。
【図面の簡単な説明】
【００１４】
【図１】この発明の実施例１に係るカップホルダ装置のケース本体に対し、開閉蓋が開き位置に配置された状態を示す斜視図である。
【図２】同じくケース本体、ロック部材、開閉蓋のインナ部材、アウタ部材、ホルダ部材等が分離された状態を示す分解斜視図である。
【図３】同じくケース本体に対し、開閉蓋が開き位置に配置され、かつホルダ部材がホルダ位置に配置された状態を示す平面図である。
【図４】同じく図３のＩＶ−ＩＶ線に沿う側断面図である。
【図５】同じく開き位置に配置された開閉蓋に対しホルダ部材が下向きに折り畳まれた状態を示す平面図である。
【図６】同じく図５のＶＩ−ＶＩ線に沿う側断面図である。
【図７】同じくケース本体に対し、開閉蓋が閉じ位置に配置された状態を示す斜視図である。
【図８】同じくケース本体に対し、開閉蓋が閉じ位置に配置された状態を示す平面図である。
【図９】同じく図８のＩＸ−ＩＸ線に沿う側断面図である。
【図１０】同じくケース本体に対し、開閉蓋が開き位置から閉じ位置に向けて回動された状態を示す側断面図である。
【図１１】同じくケース本体に対し、開閉蓋を閉じ位置と開き位置とに付勢する開閉ばねの装着状態を示す側面面である。
【発明を実施するための形態】
【００１５】
この発明を実施するための形態について実施例にしたがって説明する。
【実施例１】
【００１６】
この発明の実施例１に係るカップホルダ装置を図面にしたがって説明する。
図１〜図４に示すように、カップホルダ装置は、ケース本体１０と、開閉蓋３０と、ホルダ部材８０とを備えている。
ケース本体１０は、底壁部１１と、左右の両側壁部１６と、後壁部１７とを一体に有して上方及び前方（手前側）へ開口する箱形状に形成されている。
【００１７】
図５と図６に示すように、ケース本体１０の底壁部１１の後部寄り部分には、大型のカップ類の底面をうける左右の両カップ受け凹部１３が形成されている。
また、図２と図４に示すように、ケース本体１０の底壁部１１の前縁には、開閉蓋３０の開閉を妨げることがないように蓋開閉用凹部１４が形成され、底壁部１１の前縁と蓋開閉用凹部１４との境界部には開閉蓋３０を開き位置に停止させるストッパ部１５が形成ている。
図２と図９に示すように、ケース本体１０の左右の両側壁部１６の後側寄り内壁面には、左右の両突出部２０が形成されている。
左右の両突出部２０の後面には、後壁部１７と前後方向に所定間隔を隔てて対向し、情報端末器Ａ等を収納する収納室Ｓ１を区画形成する仕切面２１が形成されている。
また、左右の両突出部２０の上面には、開閉蓋３０を閉じ位置で受け支える蓋受け面２２が形成されている。
さらに、左右の突出部２０の前面には、ホルダ部材８０を折畳位置の直前まで折り畳み案内するホルダ案内面２３が形成されている。
【００１８】
図１〜図４に示すように、ケース本体１０の左右の両側壁部１６の前部には、開閉蓋３０が開き位置と閉じ位置とに配置切換可能に開閉軸３１を中心として回動可能に装着されている。
開閉蓋３０は、共通の開閉ばね４３によって開き位置及び閉じ位置に向けて付勢されると共に、ダンパ４３によって急激な開放が抑制されるようになっている。
すなわち、この実施例１において、開閉軸３１の一端部には、ケース本体１０の一方の側壁部１６に装着されたダンパ４６の作動歯車４７に噛み合う扇形歯車３２が段付きネジ４８によって開閉軸３１と同一中心線上に装着されている。
また、扇形歯車３２とケース本体１０の一方の側壁部１６との間には開閉ばね４３が配設されている。
そして、図１１に示すように、開閉ばね４３の一端部（支点）４４と開閉軸３１の中心とを通る線Ｌを境（デッドポイント）とし、この線Ｌを開閉ばね４３の他端部（作用点）４５が越えて開閉蓋３０が開き方向へ回動されることで、開閉蓋３０が開き位置に向けて開閉ばね４３の付勢力によって回動され、開閉蓋３０がケース本体１０のストッパ部１５に当接する開き位置に保持されるようになっている。
前記とは逆に、前記線Ｌを開閉ばね４３の他端部（作用点）４５が越えて開閉蓋３０が閉じ方向へ回動されることで、開閉蓋３０が閉じ位置に向けて開閉ばね４３の付勢力によって回動され、開閉蓋３０が蓋受け面２２に当接する閉じ位置に保持されるようになっている。
【００１９】
図２と図４に示すように、開閉蓋３０は、インナ部材５０とアウタ部材５１とが一体状に結合されることで二重蓋構造に形成されている。
また、開閉蓋３０は、図４に示すように、開き位置に配置された状態において、底部をなす底壁部５２と、手前側に配置される前壁部５８と、左右両側に位置する左右の両側壁部５５とを備えている。
開閉蓋３０の前壁部５８の内面側の左右方向中央部には、仕切用凸部５９が形成されている。
また、この実施例１において、図７〜図９に示すように、開閉蓋３０が閉じ位置に配置切換されたときに、開閉蓋３０の前壁部５８の先端部とケース本体１０の後壁部１７との間に収納室Ｓ１を上方へ開口させる開口部３５が形成されている。
【００２０】
また、図２と図４に示すように、開閉蓋３０の左右の両側壁部５５には、次に詳述するホルダ部材８０をホルダ位置と折畳位置とに案内する案内機構を構成する湾曲の長孔状をなすホルダ折畳案内孔５６が形成されている。
また、ホルダ折畳案内孔５６の一端部には、ホルダ部材８０をホルダ位置に係止する第１ストッパ部５６ａが形成され、ホルダ折畳案内孔５６の他端部には、ホルダ部材８０を折畳位置に係止する第２ストッパ部５６ｂが形成されている。
また、この実施例１において、ホルダ折畳案内孔５６には、ホルダ部材８０を第１ストッパ部５６ａと第２ストッパ部５６ｂとの中間部で係脱可能に係止する係止部５６ｃが形成されている。
【００２１】
図２と図４に示すように、開閉蓋３０の底壁部５２の後部には、複数（又は単数でもよい）のアーム取付部が形成され、これらアーム取付部には、ホルダアーム７０を介してホルダ部材８０が装着されている。
すなわち、この実施例１において、図２に示すように、ホルダアーム７０は、アーム取付部の数に対応するアーム部７１を有し、これらアーム部７１の一端部がアーム軸７３によって開閉蓋３０の底壁部５２のアーム取付部に回動可能に連結されている。
複数のアーム部７１の他端部は、横方向の連結部７２によって一体に連結されている。
【００２２】
図２と図４に示すように、ホルダアーム７０の他端部をなす連結部７２には、ホルダ部材８０がその左右両側の一端部においてアーム軸７４を中心として回動可能に連結されている。
また、ホルダアーム７０とホルダ部材８０との間には、これら両者を互いに拡開方向へ付勢してホルダ部材８０をホルダ位置に保持するホルダばね７５が介装されている。
【００２３】
図１〜図４に示すように、ホルダ部材８０には、開閉蓋３０が開き位置に配置された状態において、開閉蓋３０の前壁部５８と協働してカップ類Ｂ（カップ、飲料水用缶、ペットボトル等）を保持する左右の両円弧部８１が形成されている。
また、ホルダ部材８０の左右両側の他端部には、開閉蓋３０のホルダ折畳案内孔５６に摺動可能に嵌挿される摺動ピン８３が配設されている。
そして、ホルダ折畳案内孔５６と摺動ピン８３によって、ホルダ部材８０をホルダ位置と折畳位置とに案内する案内機構が構成されている。
【００２４】
開閉蓋３０が開き位置に配置された状態において、図４に示すように、ホルダ部材８０は、水平状をなしてカップ類を保持するホルダ位置と、図６に示すように、垂直状をなす折畳位置とに配置切換される。
また、ホルダ部材８０が折畳位置に配置切換されたときには、ケース本体１０の後壁部１７と開閉蓋３０の前壁部５８との収納室を第１、第２の分割室Ｓ２、Ｓ３とに区画する区画壁として機能する。
さらに、この実施例１においては、開閉蓋３０側に区画された第１の分割室Ｓ２の奥行き寸法よりも、ケース本体１０側に区画された第２の分割室Ｓ３の奥行き寸法が大きく設定されている。そして、第１の分割室Ｓ１には、例えば、携帯電話器、たばこケース、免許証入れ、財布等の小物類Ｃが収納可能で、第２の分割室Ｓ２には、例えば、大型のカップ類等の容積が大きい物品Ｄが収納可能に構成されている。
【００２５】
また、この実施例１において、図１〜図３に示すように、ホルダ部材８０の左右の両円弧部８１の所定位置には、外径が異なるカップ類を安定よく保持するためのサポート体９０、９５がピン９１、９６を中心としてそれぞれ回動可能に装着されている。
これら左右の両サポート体９０、９５は、ばね９２、９７によってほぼ水平状をなす位置に向けて付勢され、円弧部８１の中心に向けて突出すると共に、カップ類が挿入されることで、カップ類の外周面に押圧されてばね９２、９７の付勢力に抗して下向きに回動するようになっている。
【００２６】
また、この実施例１においては、左右の両サポート体９０、９５のうち、一方のサポート体９０は、他方のサポート体９５に比べ小型（円弧部８１の周方向の寸法及び中心方向への張出寸法が小さい小型）に形成され、外径、形状等が多様に異なるカップ類を良好に支持できるようになっている。
【００２７】
この実施例１に係るカップホルダ装置は上述したように構成される。
したがって、図７〜図９に示すように、開閉蓋３０が閉じ位置に配置された状態において、開閉蓋３０の前壁部５８の先端部とケース本体１０の後壁部１７との間の開口部３５からケース本体１０の収納室Ｓ１内に情報端末器Ａ等の下部を挿入して保持することができる。
【００２８】
閉じ位置に配置された開閉蓋３０を開く場合、開閉蓋３０を開閉ばね４３の付勢力に抗して開き位置に向けて開閉軸３１を中心として回動する。
開閉ばね４３の一端部（支点）４４と開閉軸３１の中心とを通る線Ｌを開閉ばね４３の他端部（作用点）４５が越えて開閉蓋３０が開き方向へ回動されると、開閉ばね４３の付勢力の方向が開閉蓋３０の開き方向となる。そして、開閉蓋３０がケース本体１０のストッパ部１５に当接する開き位置まで回動されると、開閉ばね４３の付勢力によって開閉蓋３０が開き位置に保持される。
【００２９】
前記したようにして、開閉蓋３０が閉じ位置から開き位置まで回動される間において、ホルダアーム７０及びホルダ部材８０は、ホルダばね７５の付勢力によって互いに拡開されながら、案内機構を構成するホルダ折畳案内孔５６と摺動ピン８３との案内作用によって、上方へ回動される。そして、ホルダ折畳案内孔５６の第１ストッパ部５６ａに摺動ピン８３が当接する状態までホルダ部材８０が移動されることで、図４に示すように、ホルダ部材８０がほぼ水平状をなすホルダ位置に配置されて保持される。
【００３０】
なお、開閉蓋３０が開き位置に配置されたときに、ホルダ部材８０が、ホルダ折畳案内孔５６一端部の第２ストッパ部５６ｂに摺動ピン８３が係合してホルダ部材８０が折畳位置に保持されている場合、第２ストッパ部５６ｂと摺動ピン８３との係合を手動操作によって解除する。
すると、ホルダアーム７０及びホルダ部材８０は、ホルダばね７５の付勢力によって互いに拡開されながら、ホルダ折畳案内孔５６と摺動ピン８３との案内作用によって、上方へ回動される。そして、ホルダ折畳案内孔５６の第１ストッパ部５６ａに摺動ピン８３が当接する状態までホルダ部材８０が移動されることで、ホルダ部材８０がほぼ水平状をなすホルダ位置に配置されて保持される。
【００３１】
前記したように、開閉蓋３０が開き位置に配置され、ホルダ部材８０が水平状をなすホルダ位置に配置された状態において、ホルダ部材８０の左右の両円弧部８１と開閉蓋３０の前壁部５８との協働によってカップ類Ｂ（カップ、飲料水用缶、ペットボトル等）を保持可能なホルダー空間が構成される。そして、ホルダー空間には、カップ類Ｂが安定よく保持される。
【００３２】
また、カップホルダとして使用しないときには、ホルダ部材８０をホルダばね７５の付勢力に抗して下向きに回動し、ホルダ折畳案内孔５６の他端の第２ストッパ部５６ｂと摺動ピン８３とを係合させることで、図５と図６に示すように、ホルダ部材８０が垂直状をなす折畳位置に配置切換される。
ホルダ部材８０が折畳位置に配置切換されたときには、ホルダ部材８０が区画壁として機能する。そして、開閉蓋３０側に第１の分割室Ｓ２が区画され、ケース本体１０側に第２の分割室Ｓ３が区画される。
これによって、第１、第２の分割室Ｓ１、Ｓ２には、異なる物品（小物類Ｃや容積が大きい物品Ｄ）を区別して収納することができ、使い勝手に優れる。
【００３３】
また、この実施例１において、開閉蓋３０側に区画された第１の分割室Ｓ２の奥行き寸法よりも、ケース本体１０側に区画された第２の分割室Ｓ３の奥行き寸法が大きく設定されている。
これによって、第１の分割室Ｓ１には、例えば、携帯電話器、たばこケース、免許証入れ、財布等の小物類Ｃが収納することができる。
また、第２の分割室Ｓ２には、例えば、大型のカップ類等の容積が大きい物品Ｄを収納することができる。
【００３４】
また、この実施例１において、前記したように、ホルダ部材８０は、開閉蓋３０の底部をなす底壁部５２に一端が回動可能に装着されたホルダアーム７０の他端部に回動可能に装着される。そして、ホルダ部材８０は、ホルダ折畳案内孔５６と摺動ピン８３とを備えて構成される案内機構によって、ホルダ位置と折畳位置とに案内される。このため、ホルダ部材８０をホルダ位置と折畳位置とに容易に配置切換することができる。
また、この実施例１において、ホルダ折畳案内孔５６一端の第１ストッパ部５６ａと、他端の第２ストッパ部５６ｂとによって、ホルダ部材８０をホルダ位置と折畳位置とに確実に係止（又は停止）することができる。
【００３５】
ホルダ部材８０が水平状をなすホルダ位置に配置された状態において、開閉蓋３０を閉じる場合、図１０に示すように、開閉蓋３０を開閉ばね４３の付勢力に抗して閉じ位置に向けて開閉軸３１を中心として回動する。
開閉蓋３０が、開閉ばね４３の一端部（支点）４４と開閉軸３１の中心とを通る線Ｌを開閉ばね４３の他端部（作用点）４５が越えて開閉蓋３０が閉じ方向へ回動されると、開閉ばね４３の付勢力の方向が開閉蓋３０の閉じ方向となる。そして、開閉蓋３０がケース本体１０の蓋受け面２２に当接する閉じ位置まで回動されて保持される。
【００３６】
一方、開閉蓋３０の閉じ動作に連動してホルダアーム７０及びホルダ部材８０は、ケース本体１０の突出部２０前面のホルダ案内面２３に接して案内されて、ホルダばね７５の付勢力に抗して互いの角度を狭めながら折り畳まれる。
【００３７】
なお、この発明は前記実施例１に限定するものではなく、この発明の要旨を逸脱しない範囲内において、種々の形態で実施することができる。
【符号の説明】
【００３８】
１０  ケース本体
３０  開閉蓋
５６  ホルダ折畳案内孔（案内機構）
７０  ホルダアーム
８０  ホルダ部材
８３  摺動ピン（案内機構）
Ｓ１  収納室
Ｓ２  第１の分割室
Ｓ３  第２の分割室
【図１】
0005840537.tif 000002
【図２】
0005840537.tif 000003
【図３】
0005840537.tif 000004
【図４】
0005840537.tif 000005
【図５】
0005840537.tif 000006
【図６】
0005840537.tif 000007
【図７】
0005840537.tif 000008
【図８】
0005840537.tif 000009
【図９】
0005840537.tif 000010
【図１０】
0005840537.tif 000011
【図１１】
0005840537.tif 000012